(57)【要約】【課題】傘の生地や握り等に付着した雑菌、汗、手脂、車の排ガス等の汚染物質を分解し、防カビ、防臭機能を傘に付与する。また、夜行性により交通安全を図り、照明が切れ暗くなった状態でも光触媒を活性化させる。【解決手段】傘１の石突６、生地４、握り７、バンド１０等の各部材に二酸化チタン粒子等の光触媒を数重量％〜５重量％程度混合した液状体を塗布、乾燥させる、または光触媒と蓄光部材をそれぞれ数重量％〜５重量％程度混合した液状体を塗布、乾燥させる構成。【選択図】　図１
2004097604.tif 000002
【特許請求の範囲】
【請求項１】
石突、生地、中棒、握りの内、少なくとも一つに光触媒を配設したことを特徴とする傘。
【請求項２】
光触媒に分解されない多孔質部材で光触媒粒子を被覆したことを特徴とする請求項１記載の傘。
【請求項３】
石突、生地、中棒、握りの内、少なくとも一つに光触媒に分解されない部材で下地層を形成し、前記下地層に重ねて光触媒を配設したことを特徴とする傘。
【請求項４】
石突、生地、中棒、握りの内、少なくとも一つを、光触媒粒子を混入した樹脂部材により成形してなることを特徴とする傘。
【請求項５】
石突、生地、中棒、握り、露先、バンドの内、少なくとも一つに光触媒と蓄光部材を配設したことを特徴とする傘。
【発明の詳細な説明】
【０００１】
【発明の属する技術分野】
本発明は、雨、雪、日ざしなどを避けるためにかざす傘に関し、詳しくは傘と光触媒を組合わせ、傘に防臭、防カビ、細菌・汗・排ガス等の分解性を付与した傘に関する。さらに、傘に光触媒と蓄光部材を組合わせ、その傘を使用する歩行者の交通安全を図るようにした傘に関する。
【０００２】
【従来の技術】
一般的な傘は図１に示すように、石突６、中棒９、親骨５、生地４、露先２、握り７、バンド１０等からなる。
露先２は、所定箇所の生地４の縁を固定するもので、生地４を取付ける各親骨５，５・・・の先端に取付けられている。
石突６、握り７は木製、金属、合成樹脂、陶磁器などからなる。生地４は布帛、成形した合成樹脂シートなどからなる。中棒９は木製、金属、合成樹脂などからなる。親骨５は一般的に金属部材からなる。露先２は金属、合成樹脂などからなる。
図２は石突の要部拡大縦断面図を示し、中棒９に螺着されている。図３は握り７の側面図であり、同じく中棒９に螺着されている。
【特許文献１】
雨降りや雪降りの夜、歩行者の傘を視認しやすく交通の安全を図るものとして、傘の露先、石突、握り、名札等に蛍光テープを巻き付ける構成が特開平０９−１１７３１３号公報により提案されている。
【特許文献２】
傘の露先、石突、握りの一部または数ヶ所に発光材、蛍光塗料、反射テープを備える構成が特開２００１−０５４４１６号公報により提案されている。
【特許文献３】
紫外線をカットし熱を遮断するため、紡糸時に酸化チタンを練りこみ傘用布地を形成し、さらにアクリル樹脂で防水コーティングする構成が特開平０６−３１５４０７号公報により提案されている。
【特許文献４】
紫外線による日焼けを防止し風合いを柔らかくするため傘用布地に酸化チタンを含有する構成が特開２０００−２８２３４４号公報により提案されている。
【０００３】
【発明が解決しようとする課題】
しかし従来の日傘、雨傘、日よけパラソル、前記特開平０９−１１７３１３号公報、特開２００１−０５４４１６号公報等においては、抗菌性や光触媒機能（防臭、防カビ、細菌・汗・排ガス等の分解性）を備えた構成が開示されていない。また、傘を構成する基材表面に光触媒と蓄光部材との２つの機能性部材を組み合わせて配設する構成についても提案されていない。
前記特開平０６−３１５４０７号公報、特開２０００−２８２３４４号公報には酸化チタンを含有させることを記載している。しかし、この場合の酸化チタンは紫外線吸収材であって、光触媒機能を発揮するものではないし、光触媒の目的でもない。従って、二酸化チタンにより光触媒機能を発揮する内容について何等言及していない。なお、アクリル樹脂で防水コーティングすると光触媒機能を発揮できない。
本発明は、傘の生地や握り等に付着した雑菌、汗、手脂、車の排ガス等の汚染物質を分解するとともに、防カビ、防臭、防汚機能を傘に付与することを目的とする。
また、傘の生地に光触媒と夜光性を付与し、交通安全を図ることを目的とする。さらに、照明が切れ暗くなった状態でも蓄光部材から受光し光触媒が機能（活性化）することを目的とする。
【０００４】
【課題を解決するための手段】
上記課題を解決するために、本発明における傘は、
（１）　二酸化チタン粒子等の光触媒を混合した液状体を傘の構成部材に塗布する構成とした。
（２）　傘の構成部材が樹脂部材からなる場合、この樹脂部材中に二酸化チタン粒子等の光触媒を混入し、所望の形状に成形する構成とした。（成形方法は射出成形、押出し成形、ブロー成形等）
（３）　光触媒と蓄光部材の２種類の機能性部材を混合した液状体を傘の構成部材に塗布する構成とした。
（４）　傘の構成部材が樹脂部材からなる場合、この樹脂部材中に光触媒と蓄光部材とを混入し、所望の形状に成形する構成とした。
（５）　傘の構成部材に液状体を塗布した後、前記液状体が接着性を有する間に光触媒粒子と蓄光粒子の２種類を散布し、前記構成部材の表面に固定する構成とした。
上記構成により本発明の傘は、生地や握りの表面に付着した細菌・カビ・汚れ物質、手脂、車の排ガス、たばこの煙、アンモニアガス等を分解し防カビ、防臭を図れる。透光性生地内に備えた光触媒と蓄光部材は使用者の視野を遮ることがなく、対向車（者）から夜間における傘の視認を容易にし交通事故低減を図れる。光触媒と蓄光部材を備えた場合、照明が途絶えた暗い状態でも、蓄光部材により光触媒は所定時間だけ活性化を延長できる。
上記構成において、傘の各部材に光触媒を固定する第１の方法は、光触媒を液状体に混合し塗布、乾燥させる構成とした。
例えば、光触媒をアナターゼ結晶形の二酸化チタン粒子とし、該二酸化チタン粒子を水および／または有機溶媒に懸濁させたもの，あるいはスラリーにしたものを塗布する構成とした。
前記有機溶媒としてはプロパノール、アルコール、エステル、エーテル、アミン、炭化水素、またはそれらの混合物、または水に塩酸や硝酸などを加えた部材等とした。チタニアゾル液にシランカップリング剤、チタンカップリング剤を加えたり、溶媒に界面活性剤を加えること等は任意に実施してよい。
【０００５】
光触媒を混合するもう一つの液状体としては、アクリル系樹脂、アルキッドメラミン樹脂、酢酸ビニール系樹脂、フッ素系樹脂、シリコン系樹脂、エポキシ系樹脂、ウレタン系樹脂、シロキサン樹脂、ＵＶ樹脂（紫外線硬化樹脂）、天然ゴム、ブチルゴム、塩化ビニール系樹脂、フェノール樹脂、ＡＢＳ樹脂、ＰＳ樹脂、スチレン系樹脂、ポリアミド樹脂、無機ガラス（釉薬）ＰＶＡ（ポリビニールアルコール／ポバール）等から選んだ一つとした。液状体の粘度調整は一般的な有機溶媒、例えば、アルコール、シンナー、アセトン、キシレン等を用い所望に調製すればよい。
光触媒を含んだ液状体の塗布方法は、浸漬法、スプレー法、印刷法（スクリーン印刷、グラビヤ印刷、静電印刷、インクジェット、タンポ印刷等）等から選んだ一つとした。勿論、光触媒を気相コーティング法たとえばスパッタ、蒸着等のＰＶＤ（フィジカル・ベーパ・ディポジション）またはＣＶＤ（ケミカル・ベーパ・ディポジション）、溶射などの手段により配設するようにしてもよい。
二酸化チタンの粒子径は数ｎｍ〜数百ｎｍ、液状体への混入量は０．５重量％〜５重量％程度の範囲とした。光触媒を含んだ液状体の塗布膜厚は数μｍ〜１０μｍ程度の範囲とした。
なお、光触媒を混合する前記液状体は近紫外線を受光するため透光性を有していることが望ましい。ただし、光触媒が水またはアニリン等を含浸している場合はこの限りでない。
傘の各部材に光触媒を配設する第２の方法は、樹脂部材内に二酸化チタン粒子等の光触媒を数重量％〜１０重量％程度配合し、所望の部品形状に成形する構成とした。成形品は透光性を備えていることが望ましい。特に生地を構成する透光性樹脂シートは視野を妨げない。
生地を構成する布帛は、綿、麻、絹等の天然繊維の他に、ビニール、ナイロン、ポリエステル（ポリエチレンテレフタレート等）等の化学繊維も用いられる。
生地への光触媒の配設は、成形前のペレット状態、紡績糸の状態で、またはシート状態等、任意の段階で前記第１、第２の方法により実施すればよい。
前記光触媒は、二酸化チタン、または二酸化チタンと活性炭との混合物等からなる微粉末粒子、可視光応答型酸化チタン光触媒などとした。
二酸化チタンはアナターゼ型のものが好ましいが、銅、銀、白金、その他の金属でメタライズされたルチル型二酸化チタンとしてもよい。
また、ＷＯ２，Ｃｄｓ，ＣｄＳｅ，ＳｒＴｉＯ２，ＭｏＳ２のような半導体で光触媒を形成するようにしてもよい。
光触媒が担体や塗布対象物を分解する恐れがある場合は、光触媒に不活性な（分解されない）物質で酸化チタン粒子表面の一部を覆う構成、または光不活性物質からなる多孔質膜で二酸化チタン粒子の表面を覆う構成としてよい。
前記光不活性物質としては、シリカ、アルミナ、ジルコニウム、カルシウム、バリウム、スチロンチウム、マグネシウム、亜鉛、ニオブ、セラミックスのアパタイト等から選んだいずれか一つ、またはその組み合わせとした。
さらに、光触媒と吸着部材（セラミックスのアパタイト、ゼイライト、セピオライト等）とを併用する構成、光触媒粒子の一部を吸着部材で包み込む構成など任意に実施してよい。
さらに、水または有機溶剤（アニリン等）を含浸させた光触媒を液状体に混合し、対象部位に塗布するようにしてもよい。液状体の加熱、乾燥過程で水または有機溶剤が蒸発し、光触媒の保持膜に気孔を形成し、光触媒に近紫外線を直接照射可能にする。
上述のごとく、光触媒を傘に配設することにより、表面の各種汚れを分解したり，表面の細菌を殺したり，付着した臭いを取る。即ち、太陽光や蛍光灯など３００ｎｍ〜４００ｎｍの近紫外線を受けた光触媒は活性化して有機物（アセトアルデヒドやアンモニア等）、排ガスに含まれる窒素酸化物、塩素化合物等を酸化・分解する。分解した汚染物質は、雨や放水等によって容易に除去できる。
本発明の傘に配設する蓄光物質としては、例えば根本特殊化学／Ｎ夜光、またはＳｒＡｌ２Ｏ４：Ｅｕ、またはＺＮｓ：Ｃｕ、またはＺｎＳ，ＣｄＳ，ＣａＳ，（ＺｎＣｄ）Ｓ等の一種または二種類の硫化物系蓄光物質など任意の部材としてよい。
光触媒または／および蓄光部材を含み、傘の各部材を成形する透光性樹脂は、例えば、ナイロン樹脂、アクリル系樹脂、エポキシ系樹脂、ポリカーボネート、塩化ビニル、塩化ビニリデン、スチロール、ポリアセタール、ＡＢＳ、ＰＳ、ＰＰ、ウレタン等から選んだ一つとした。
光触媒と蓄光部材を含んだ液状体（溶媒、ビヒクル、塗料、接着材の内いずれか一つまたはその組み合わせ。）の塗布厚さは数μｍ〜１０μｍ程度とした。液状体、成形樹脂に配合する光触媒と蓄光物質はそれぞれ０．５重量％〜１０重量％程度の範囲とした。
【０００６】
【発明の実施の形態】
本発明における第１の発明は、石突、生地、中棒、握りの内、少なくとも一つに光触媒を配設したことを特徴とする傘としたもので、傘に付着した汗、手脂、排ガス等を酸化・分解し、殺菌、防カビ、防臭、防汚等の機能を発揮する。
【０００７】
本発明における第２の発明は、光触媒に分解されない多孔質部材で光触媒粒子を被覆したことを特徴とする第１の発明に記載の傘としたもので、光触媒の担体や光触媒を塗布した基材の分解を防止する。
本発明における第３の発明は、石突、生地、中棒、握りの内、少なくとも一つに光触媒に分解されない部材で下地層を形成し、前記下地層に重ねて光触媒を配設したことを特徴とする傘としたもので、光触媒を塗布した基材の分解を防止する。
【０００８】
本発明における第４の発明は、石突、生地、握りの内、少なくとも一つを、光触媒粒子を混入した樹脂部材により成形してなることを特徴とする傘としたもので、傘に付着した汗、手脂、排ガス等を酸化・分解し、殺菌、防カビ、防臭、防汚等の特性を発揮する。
本発明における第５の発明は、石突、生地、中棒、握り、露先、バンドの内、少なくとも一つに光触媒と蓄光部材の２種類の機能性部材を併設したことを特徴とする傘としたもので、蓄光部材により夜間における傘の視認を容易にし、照明が途絶えた暗い状態でも、光触媒の活性を所定時間だけ延長する。
【０００９】
【実施例】
以下、本発明の実施例における傘について図面と共に説明する。
【００１０】
（実施例１）
図１は本発明の一実施の形態における傘の全体図、図２は図１における露先の縦断面図、図３は図１における握りの側面図を示す。図１〜図３において、符号１は傘、２は露先、４は生地、５は親骨、６は石突、７は握り、９は中棒、１０は結束バンドを示す。
露先２、親骨５、石突６、中棒９は金属部材からなる。生地４、バンド１０は布地からなる。握り７は木製からなる。
実施例１における傘は、光触媒の二酸化チタン粒子を含んだ液状体に傘全体を浸漬し、乾燥させることにより光触媒を傘の各部表面に均一に配設する構成とした。
詳しくは、フッ素系樹脂をアルコール、シンナー等の溶剤で希釈し粘度調製した液状体に、二酸化チタン粒子（粒子径は数ｎｍ〜５０ｎｍ）を０．５重量％〜５重量％程度混入し分散させる。次に、前記液状体に傘を浸漬し、ついでゆっくりと引き上げ２μｍ〜１０μｍ程度の塗布膜を得た。余分な液状体の滴を取り除き、ついで摂氏４０度〜５０度の乾燥機内で１５〜２０分間乾燥させた。これにより傘の表面全体に光触媒が配設される。なお、傘に液状体を塗布した後、天日で乾燥させてもよい。
【００１１】
上記実施例１において、傘に光触媒を含んだ液状体を塗布する手段として、上記浸漬法の他に、スプレー方式、印刷方式等任意の手段を用いてよいことは言うまでもない。
また、傘表面に第一層として、光触媒に不活性なＳｉＯ２下地層を形成した後、重ねて光触媒を含んだ液状体たとえばシリコン樹脂を数μｍ〜１０μｍ程度の厚さに塗布、乾燥して光触媒機能を備える構成としてよい。
さらに、液状体に含ませる光触媒粒子を無機物たとえば多孔質シリカ、多孔質アルミナ、セラミックスのアパタイト等から選んだ一つで内包させる構成としてもよい。
【００１２】
本発明における傘は、上記構成により殺菌性、防臭性、防汚性、付着した汚染物質の分解性を備え、汗・手脂・車の排ガス等を分解する。
【００１３】
（実施例２）
本発明の実施例２における傘は、親骨５、石突６、中棒９は金属部材からなる。露先２、生地４、握り７、バンド１０は合成樹脂部材からなる。
本発明の傘は、前記生地４、握り７、バンド１０に二酸化チタン粒子等の光触媒を混入する構成とした。即ち、生地４を構成するナイロン樹脂シート、握り７を構成するＡＢＳ樹脂、バンド１０を構成するナイロン樹脂シートに、多孔質シリカまたは多孔質アルミナ、アパタイト等の光不活性物質から選んだ一つで被覆した二酸化チタン粒子をペレット樹脂に混合し、所望のシート形状、握り形状に成形する構成とした。
前記二酸化チタン粒子の外形は数ｎｍ〜数百ｎｍ程度、混入量を０．５重量％〜５重量％程度とした。
【００１４】
この場合の傘も表面に露出した光触媒粒子により殺菌性、防臭性、防汚性、付着した汚染物質の分解性を備え、汗・手脂・車の排ガス等を分解する。
【００１５】
（実施例３）
本発明の実施例３における傘は、露先２、親骨５、石突６、中棒９が金属部材からなり、生地４、バンド１０は布地からなり、握り７は合成樹脂部材からなる。
本発明の傘は、まず、生地４の外面（表面）に蓄光部材を含んだ液状体を塗布、乾燥させる。次に前記蓄光部材層に重ね、アパタイトで内包した光触媒を含んだ液状体を塗布、乾燥させたことを特徴とする。
光触媒粒子の粒径は数ｎｍ〜数百ｎｍ、蓄光部材の粒径を０．１μｍ〜数μｍの範囲とし、溶媒で希釈した液状体たとえば透明なアクリル系樹脂、エポキシ樹脂、塩化ビニル等の樹脂部材等から選んだ一つに、それぞれ０．５重量％〜５重量％の範囲で混練した。前記各液状体の塗布厚さはそれぞれ数μｍ〜１０μｍの範囲とした。塗布手段はスプレー、浸漬、インクジェット、スクリーン印刷などから選んだ一つとした。
この場合の傘も表面に露出した光触媒粒子により殺菌性、防臭性、防汚性、付着した汚染物質の分解性を備え、汗・手脂・車の排ガス等を分解する。
蓄光部材は、夜間における傘の視認を容易にし交通事故低減を図れる。また、照明が途絶えた暗い状態でも、光触媒を所定時間だけ活性化させる。
【００１６】
（実施例４）
本発明の実施例４における傘は、露先２、親骨５、石突６、中棒９が金属部材からなり、生地４、バンド１０は布地からなり、握り７は合成樹脂部材からなる。本発明の傘は、生地４の外面に光触媒と蓄光部材とを混合した液状体を塗布したことを特徴とする。
なお、この場合も光触媒をアナターゼ結晶形の酸化チタン粒子とした。透明なシリコン系樹脂を所望の粘度に有機溶媒で希釈して液状体を形成し、該液状体に光触媒と蓄光部材とを懸濁して塗布する構成とした。
前記液状体へ混入する光触媒と蓄光粒子の量はそれぞれ０．５重量％〜５重量％の範囲とした。塗布厚さは数μｍ〜１０μｍの範囲とした。光触媒と蓄光粒子の粒径ならびに塗布手段は、実施例３と同様にした。この実施例の場合も実施例３と同様の作用・効果を有する。さらに、液状体に混合する手間、生地に塗布する手間等は実施例３の略１／２程度となる。
【００１７】
（実施例５）
図４は本発明の一実施の形態における傘の表面近傍の要部断面図を示す。図４において符号４１は生地、４２は液状部材、４５は光触媒、４６は蓄光粒子を示す。本発明における傘は、露先２、親骨５、石突６、中棒９が金属部材からなり、生地４、バンド１０は布地からなり、握り７は合成樹脂部材からなる。
この場合の傘は、生地４１の表面にまず液状部材４２を塗布した後、光触媒粒子と蓄光粒子を篩振動機構等の手段を用いて散布し、前記液状部材４２の表面に固定したことを特徴とする。また、必要に応じ前記散布した光触媒、蓄光粒子をプレートやローラ等で押圧し、少なくとも光触媒、蓄光粒子の一部分を前記液状部材の表面に埋設したことを特徴とする。
【００１８】
シリコン樹脂を所望の粘度に有機溶媒で調製してなる液状部材４２を厚さ数μｍ〜数十μｍに塗布し、表面が濡れ性（接着性）を有している間に光触媒、蓄光粒子を散布した。光触媒と蓄光粒子の粒径は実施例３と同程度とした。
光触媒と蓄光粒子を散布、押圧した後、摂氏４０度〜５０度程度の温度で液状部材を加熱し、乾燥して固定した。この場合の傘も実施例３と同様の効果有する。
【００１９】
上記実施例３〜５において、光触媒と蓄光部材を含んだ液状体は、生地の全面に塗布したり、絵模様状に塗布するなど任意に実施してよいことは言うまでもない。また、生地の他に石突、握り、バンド等にも光触媒と蓄光部材を配設するようにしてもよい。
【００２０】
【発明の効果】
以上のように本発明の傘は、光触媒を配設することにより、殺菌性、防臭性、付着した汚染物質の分解性を備える。その結果、汗・手脂・車の排ガス等を分解する。
蓄光部材は、対向車（者）から夜間における傘の視認を容易にし交通事故低減を図れる。また、照明が途絶えた暗い状態でも、蓄光部材により光触媒は所定時間だけ活性化を延長できる。
【図面の簡単な説明】
【図１】本発明の一実施の形態に係る傘の全体図
【図２】図１における露先の縦断面図、
【図３】図１における握りの側面図、
【図４】本発明の一実施の形態に係る傘の生地表面近傍の要部断面図
【符号の説明】
１　傘
２　露先
４、４１　生地
５　親骨
６　石突
７　握り
９　中棒
１０　バンド
４２　液状体
４５　光触媒
４６　蓄光部材
【図１】
2004097604.tif 000003
【図２】
2004097604.tif 000004
【図３】
2004097604.tif 000005
【図４】
2004097604.tif 000006